(57)【要約】【課題】包装袋の製造工程とは別の工程を要することなく、また、別部材も要することなく、従来品よりも安価で、製造効率が優れた再封機能を付与した包装袋を提供すること。【解決手段】互いに重ねられたフィルムの四周を閉じて封鎖した包装袋１であって、前記四周のうち、少なくとも一部がヒートシール部１１でありこのヒートシール部１１に切込み１３を設けて係止片１４を設けて構成されており、包装体を折り返した際に、前記係止片１４を前記ヒートシール部１１に係止可能とする。【選択図】図１
2006240691.tif 000002
【特許請求の範囲】
【請求項１】
互いに重ねられたフィルムの四周を閉じて封鎖し、かつ、その一部に開封案内部を設けて構成される包装袋において、
前記四周のうち、少なくとも一部がヒートシールによって封鎖されており、
このヒートシール部の開封案内部より包装袋本体部寄りの位置に切込みを設けて係止片を形成した構成とされており、
包装体を折り返した際に、前記係止片が前記ヒートシール部に係止可能であることを特徴とする包装袋。
【請求項２】
互いに重ねられたフィルムの四周を閉じて封鎖し、かつ、その一部に開封案内部を設けて構成される包装袋において、
前記四周のうち、少なくとも一部がヒートシールによって封鎖されており、
このヒートシール部の開封案内部より包装袋本体部寄りの位置に２つの切込みを設けてそれぞれ係止片と係止部とを形成した構成とされており、
包装体を折り返した際に、前記係止片と係止部とが互いに係止可能であることを特徴とする包装袋。
【発明の詳細な説明】
【技術分野】
【０００１】
本発明は、再封機能を有する包装袋に関する。更に詳しくは、別部材を要することなく、したがって、安価かつ容易に製造できる再封機能を有する包装袋に関する。
【背景技術】
【０００２】
菓子、かつお節、こんぶ、乾燥食品などの内容物を収容する三方シール袋や四方シール袋は広く知られており、また、広く知られている。このような内容物を収容する包装袋は、消費者の手に渡るまで内容物を密閉する必要があり、また、消費者が内容物を取り出す便宜のために、ノッチなどの開封案内部が設けられている。
【０００３】
また、この種の包装袋では、消費者が内容物の一部を取り出し、残部をそのまま包装袋内部に保存するため、再封機能を有する場合も多い。
【０００４】
このような再封機能としては、例えば、いわゆるチャックが知られている。すなわち、互いに嵌合可能な凹凸を有する２本の線状部材を包装袋を構成するフィルム内壁に取り付け、開封した後、この線状部材を互いに嵌合して再封することができる。また、再開封するときには、この線状部材の嵌合を解けば良い。再封と開封とは繰り返して行うことができる。
【０００５】
また、再封機能として包装袋の開封案内部近くに針金などを設けた包装袋や再封用のシールを別添した包装袋も知られている。
【０００６】
しかしながら、これら再封機能は、いずれの場合も包装袋そのものとは別のチャック、針金、シールなどの部材を必要とし、このため、包装袋の単価を押し上げ、しかもその取付けには包装袋そのものの製造とは別の工程を要するものであった。
【発明の開示】
【発明が解決しようとする課題】
【０００７】
そこで、本発明では、包装袋の製造工程中で切込みを設けることにより再封機能を付与し、こうして包装袋の製造工程とは別の工程を要することなく、また、別部材も要することなく、従来品よりも安価で、製造効率が優れた再封機能を付与した包装袋を提供することを目的とする。
【課題を解決するための手段】
【０００８】
すなわち、請求項１に係る発明は、互いに重ねられたフィルムの四周を閉じて封鎖し、かつ、その一部に開封案内部を設けて構成される包装袋において、
前記四周のうち、少なくとも一部がヒートシールによって封鎖されており、
このヒートシール部の開封案内部より包装袋本体部寄りの位置に切込みを設けて係止片を形成した構成とされており、
開封部を封止する方向へ包装体を折り返した際に、前記係止片が前記ヒートシール部に係止可能であることを特徴とする包装袋である。
また、請求項２に係る発明は、互いに重ねられたフィルムの四周を閉じて封鎖し、かつ、その一部に開封案内部を設けて構成される包装袋において、
前記四周のうち、少なくとも一部がヒートシールによって封鎖されており、
このヒートシール部の開封案内部より包装袋本体部寄りの位置に２つの切込みを設けてそれぞれ係止片と係止部とを形成した構成とされており、
包装体を折り返した際に、前記係止片と係止部とが互いに係止可能であることを特徴と
する包装袋である。
【発明の効果】
【０００９】
請求項１に係る発明によれば、ヒートシール部に設けられた切込みによって係止片が設けられており、包装袋を折り返したときにこの係止片がヒートシール部に係止して再封機能を発揮するから、チャックなどの別部材を要することがない。また、この係止片は、包装袋製造工程の中で、そのヒートシール部に適当な形状の切込みを設けることによって形成することができるから、その製造も容易であるという利点を有する。
【００１０】
また、請求項２に係る発明は、ヒートシール部に設けられた係止片と係止部とを互いに係止して再封機能を発揮するから、請求項１記載の発明と同様に、別部材を要することがなく、また、包装袋製造工程の中で容易に設けることができるという利点を有する。
【発明を実施するための最良の形態】
【００１１】
以下、図面を参照して本発明の実施形態を説明する。
【００１２】
図面の図１（ａ）は、請求項１に係る発明の実施形態を示し、その包装袋１の平面図である。なお、説明の便宜のため、内容物を収容しない状態の包装袋１を示している。
【００１３】
包装袋１は、２枚のフィルムを重ねてその四周をヒートシールして製造したものであり、一般に四方シール袋と呼ばれる形態を有している。なお、１枚のフィルムを中央から折り返して重ね、三方をヒートシールして製造される三方シール袋にも適用できることはいうまでもない。これらフィルムは任意のもので良いが、後述する開封案内部から引き裂き可能な１軸延伸フィルムを使用することが望ましい。
【００１４】
図中、１１は、包装袋四周のヒートシール部を示している。ヒートシール部１１の幅は、５ｍｍ以上あることが望ましい。１２は、ヒートシール部１１の一部に設けられたノッチである。このノッチ１２、すなわち開封案内部から包装袋１を引き裂いて開封することができる。
【００１５】
次に、１３は、ヒートシール部１１に設けられた切込みである。この切込み１３は前記ノッチ１２より包装袋本体部寄りの位置に設けられている。そして、この切込み１３は、ほぼコの字状を有しており、包装袋１の中央から見て切込み１３の外側にこのコの字に囲まれた部位を有している。そして、このコの字状の切込み１３に囲まれた部位を係止片１４としている。なお、係止片１４は、包装袋１を折り返したとき、そのヒートシール部１１に係止して再封するものであり、この係止片１４を構成する切込み１３はコの字状に限られないが、係止片１４を構成できるものである必要がある。例えば、一定の角度で交わる２本の直線状に切込み１３を設け、その角部を係止片１４とすることもできる。また、円弧状の切込み１３によって係止片１４を構成することも可能である。
【００１６】
また、この切込み１３は、ヒートシール部１１に設けられることから、その部位から破袋しないよう配慮する必要がある。ヒートシール部１１の幅が５ｍｍ以上の場合、切込み１３がこのヒートシール部１１幅に占める割合は６０％以下であることが望ましい。また、係止片１４をヒートシール部１１に係止して固定するため、切込み１３の幅は２ｍｍ以上あることが望ましい。より好ましくは３ｍｍ以上である。図示の例では、ヒートシール部１１の幅が１５ｍｍであるのに対し、切込み１３が占める割合は８ｍｍ（ヒートシール部幅に対し５３．３％）である。
【００１７】
なお、図示の例では、切込み１３及び係止片１４は、互いに対向する２辺にそれぞれ設けられているが、１辺のみに設けても良い。
【００１８】
そして、この包装袋１は、図１（ｂ）に示すように、ノッチ１２から包装袋１を引き裂いて開封することができ、その後、折り返し線ｘから折り返し、前記係止片１４をヒートシール部１１に係止して固定することにより、再封することができる。なお、係止片１４が１辺のみに設けられている場合には、ヒートシール部１１に対して折り曲げ線を斜めにすることにより、同様に再封することができる。ヒートシール部１１は、一般にフィルム単体より剛性が高く、このため、このヒートシール部１１に係止された係止片が不用意にはずれることはない。後述する実験結果によれば、再封と開封とを１０回繰り返すことが可能であった。
【００１９】
この包装袋１は、長尺でロール状に巻き取られたフィルムを使用し、このフィルムを巻き出しながら、所定の部位にヒートシール及び打ち抜き加工を施すことによって連続的に生産することができる。このため、通常使用されている製袋設備の他に設備を要することなく、また、その生産速度も三方シール袋や四方シール袋の生産速度と変らない。
【００２０】
なお、包装袋を構成するフィルムとして、厚さ１２μｍの１軸延伸ポリエステルフィルムにヒートシール剤として無延伸ポリプロピレンフィルムを積層した積層体を使用して、図１の包装袋を製造し、その再封性、再封の容易さ、再封可能な回数、密封性、生産性、コスト、及びこれらの結果を踏まえた総合評価を行った。チャックを備えた包装袋（チャック袋）、針金を備えた包装袋（ティン袋）、及びシールを別添した包装袋（別添シール）の評価と共に、表１に示す。
【００２１】
【表１】
2006240691.tif 000003
この結果から、再封回数と密封性の点でチャック袋に見劣りがするものの、再封の容易さ、生産性、コストの点で際だって優れていることが分かる。
【００２２】
次に、図２（ａ）は、請求項２に係る発明の実施形態を示している。すなわち、この例では、同一の辺に２つの切込み１３ａと１３ｂとを備え、これに対応して係止片１４ａと係止部１４ｂとが設けられている。切込み１３ａと切り込み１３ｂとは、折り返し線ｘを対象軸として対象な位置に設けられており、図２（ｂ）に示すように、この折り返し線ｘから折り返して係止片１４ａと係止部１４ｂとを互いに係止して固定し、再封することができる。
【００２３】
その他の点については、図１に示した包装袋と同様である。
【００２４】
なお、包装袋を構成するフィルムとして、厚さ１２μｍの１軸延伸ポリエステルフィルムにヒートシール剤として無延伸ポリプロピレンフィルムを積層した積層体を使用して、図２の包装袋を製造し、その再封性、再封の容易さ、再封可能な回数、密封性、生産性、コスト、及びこれらの結果を踏まえた総合評価を行った。チャックを備えた包装袋（チャック袋）、針金を備えた包装袋（ティン袋）、及びシールを別添した包装袋（別添シール）の評価と共に、表２に示す。
【００２５】
【表２】
2006240691.tif 000004
なお、図３（ａ）は、係止片１４ａを包装袋端部に達しているＬ字状の切込みによって形成し、同一形状の切込みによって係止部１４ｂを形成した例である。
【００２６】
また、図４（ａ）は、係止部１４ｂとして、包装袋の側辺に平行な直線状の切込みをそのまま利用した例を示す。図４（ｂ）は、コの字状係止片１４ａと逆方向のコの字状の切込みによって係止部１４ｂを形成した例である。図５は、Ｕ字状の切込みによって形成し、係止部１４ｂとして、包装袋の側辺に直交する直線状の切込みをそのまま利用した例を
示す。
【図面の簡単な説明】
【００２７】
【図１】図１（ａ）は請求項１に係る発明の実施形態に係る包装袋の平面図。図１（ｂ）はその使用状態を示す説明図。
【図２】図２（ａ）は請求項２に係る発明の実施形態に係る包装袋の平面図。図２（ｂ）はその使用状態を示す説明図。
【図３】図３（ａ）は請求項２に係る発明の他の実施形態に係る包装袋の平面図。図３（ｂ）はその使用状態を示す説明図。
【図４】図４（ａ）（ｂ）は、それぞれ、請求項２に係る発明の他の実施形態に係る包装袋の平面図。
【図５】請求項２に係る発明の他の実施形態に係る包装袋の平面図。
【符号の説明】
【００２８】
１…包装袋
１１…ヒートシール部
１２…ノッチ
１３…切込み
１４…係止片
【図１】
2006240691.tif 000005
【図２】
2006240691.tif 000006
【図３】
2006240691.tif 000007
【図４】
2006240691.tif 000008
【図５】
2006240691.tif 000009